(57)【要約】【課題】電気も機械も使わずに乾き過ぎや水のやり過ぎを解消できる簡易な土中への給水器を提供する。【解決手段】土中への給水器１は、密閉状の貯水空間を形成する密閉タンク２と、密閉タンク２の底側に配設されて、密閉タンク２の外側へ延びる垂下状の給水チューブ４を底面に有する小タンク３と、給水チューブ４の外端が接続されて土中に埋設される、毛細管現象を生じる給水マット５とを備え、小タンク３には、底面側に下小孔３ａと、その上方に上小孔３ｂが開口されているとともに、外気と連通する空気筒６が接続されている。【選択図】図１
2016136866.tif 000002
【特許請求の範囲】
【請求項１】
密閉状の貯水空間を形成する密閉タンクと、
該密閉タンク内の底側に配設されて、該密閉タンクの外側へ延びる垂下状の給水チューブを底面に有する小タンクと、
前記給水チューブの外端が接続されて土中に埋設される、毛細管現象を生じる給水マットと、
を備え、
前記小タンクには、底面側に下小孔と、その上方に上小孔が開口されているとともに、外気と連通する空気筒が接続されている
ことを特徴とする土中への給水器。
【請求項２】
前記密閉タンクおよび前記小タンクは縦長状に形成されている請求項１に記載の土中への給水器。
【請求項３】
前記空気筒は、その上端が前記小タンクの上面側に連通し、前記密閉タンクの外側へ下向きに延びて外気に開放されている請求項１または請求項２に記載の土中への給水器。
【請求項４】
前記給水マットは銅化合物が含浸された不織布で形成されている請求項１乃至請求項３何れかに記載の土中への給水器。
【請求項５】
前記下小孔および上小孔は、直径が１ｍｍ〜６ｍｍに設定されている請求項１乃至請求項４何れかに記載の土中への給水器。
【発明の詳細な説明】
【技術分野】
【０００１】
本発明は、プランターや植木鉢等に入れた土中へ、適度な水を自動で供給することのできる給水器に関するものである。
【背景技術】
【０００２】
従来、栽培植物に水を自動的に補給する給水器として、例えば特許文献１に開示されているような給水器とか、特許文献２に開示されているような給水器がある。
【先行技術文献】
【特許文献】
【０００３】
【特許文献１】実開平６−４６４５０号公報
【特許文献２】特許第３８８４４１９号公報
【発明の概要】
【発明が解決しようとする課題】
【０００４】
上記特許文献１に開示されている給水器では、上方に吊り下げ状に給水槽を配設する必要があり、特別な設置スペースを必要とするものであった。
【０００５】
また、上記特許文献２に開示されている給水器は、構造が複雑でコスト高になるという問題点があった。
【課題を解決するための手段】
【０００６】
本発明は、設置が容易で、電気も機械も使わずに乾き過ぎや水のやり過ぎを解消できる簡易な土中への給水器の提供を目的とし、この目的の少なくとも一部を達成するために以下の手段を採った。
【０００７】
本発明の土中への給水器は、
密閉状の貯水空間を形成する密閉タンクと、
該密閉タンク内の底側に配設されて、該密閉タンクの外側へ延びる垂下状の給水チューブを底面に有する小タンクと、
前記給水チューブの外端が接続されて土中に埋設される、毛細管現象を生じる給水マットと、
を備え、
前記小タンクには、底面側に下小孔と、その上方に上小孔が開口されているとともに、外気と連通する空気筒が接続されている
ことを要旨とする。
【発明の効果】
【０００８】
密閉タンク内に水を入れて容易に設置することができ、給水マットの毛細管現象による水の浸透作用により、小タンク内の水は給水チューブを通り給水マットに供給され、給水マットから水が良好に土中に供給されてゆく。
【０００９】
小タンク内の水位が下がってゆくと、空気筒を通って供給される空気が上小孔から気泡として上昇し、密閉タンク内の上面側に空気が溜まって気圧が高くなってゆき、気圧が高くなるにつれて密閉タンク内の水が下小孔から小タンク内に流入し、小タンク内の水位が押し上げられて小タンク内の水位は一定の高さに調整され、これにより密閉タンクの水を自動的に適度に給水マットへ供給してゆくことができ、プランター内等の土の乾き過ぎや水のやり過ぎを解消することができ、しかも電気や機械を使わない簡易な構造で安価に製作することができる。
【００１０】
また、本発明の土中への給水器において、前記密閉タンクおよび前記小タンクは縦長状に形成されているものとすることもできる。
【００１１】
こうすれば、密閉タンク内に水を入れて縦置き状態で容易に設置することができる。
【００１２】
また、本発明の土中への給水器において、前記空気筒は、その上端が前記小タンクの上面側に連通し、前記密閉タンクの外側へ下向きに延びて外気に開放されているものとすることもできる。
【００１３】
こうすれば、良好に空気筒より小タンク内に空気を入れることができ、小タンク内の水を良好に給水マット側へ押し出すことができ、小タンク内の水位が下がった時に、密閉タンク内の圧力バランスにより、密閉タンク内の水を自動的に給水マットへ適度に供給できるものとなる。
【００１４】
また、本発明の土中への給水器において、前記給水マットは銅化合物が含浸された不織布で形成されているものとすることもできる。
【００１５】
こうすれば、給水マットは小タンクからの水により常に濡れているため、植物の根はこの給水マットに向かって集まりやすく、根が集まりすぎて、植物の根が給水マットにへばり付いて固まってしまうと、給水マットの毛細管現象が阻害されて土への水の供給が不安定となるが、給水マットには銅化合物が含浸されているため、植物の根が給水マットに近づかなくなり、植物の根が給水マットにへばり付くことがなく、土への給水機能が安定化するものとなる。
【００１６】
また、本発明の土中への給水器において、前記下小孔および上小孔は、直径が１ｍｍ〜６ｍｍに設定されているものとすることもできる。
【００１７】
こうすれば、給水マット側へ適度な水を供給できるものとなる。
【図面の簡単な説明】
【００１８】
【図１】土中への給水器の給水マットが接続された状態の全体構成図である。
【発明を実施するための形態】
【００１９】
次に、本発明を実施するための形態を実施例を用いて説明する。
【００２０】
図１は、給水器の一例を示すものである。
【００２１】
給水器１は、密閉タンク２と小タンク３と給水チューブ４と空気筒６と給水マット５で構成されている。
【００２２】
密閉タンク２は、内部に貯水可能な密閉状の空間が形成されたものであり、本体部２ａの下端に、下方に向かって逆錐形状をなす錐形部２ｂが連続形成されており、錐形部２ｂの下端には、着脱可能にキャップ２ｃが設けられ、キャップ２ｃを取り外して、キャップ２ｃ側を上向きにして内部に水を入れて使用することができるものである。
【００２３】
この本体部２ａは、例えば長辺が９０ｍｍで、短辺が８０ｍｍの長方形状の水平断面を有し、上面から錐形部２ｂの上端までの高さ寸法は２２０ｍｍに設定されている。また、錐形部２ｂの高さ寸法は６０ｍｍであり、キャップ２ｃは直径３０ｍｍに設定されている。
【００２４】
なお、この密閉タンク２は、内部に２リットルの水を入れることができるものであり、本例では、ペットボトルを使用したものとなっている。
【００２５】
この密閉タンク２の錐形部２ｂ内には、縦方向に立設した状態に小タンク３が配置されている。
【００２６】
この小タンク３は、１４ｍｍ×１４ｍｍの正方形状の水平断面を有し、高さ寸法が４０ｍｍに設定されたものであり、この小タンク３の底面からは垂下状に給水チューブ４がキャップ２ｃの内部を貫通して下向きに外側へ配設されており、この給水チューブ４は内径が４ｍｍに設定されたものである。給水チューブ４の外端にはジョイント部４ａを介して給水マット５が接続される。
【００２７】
この給水マット５は、例えば、外側がポリエステルで内側がレーヨンとｐｅｔを主体とする不織布のシートで構成されて、例えば長辺５５ｃｍで、短辺が５ｃｍ程度の寸法に設定されており、良好な毛細管現象が発揮されて、水を良好に吸水できるものとなっている。
【００２８】
なお、この給水マット５に植物の根が絡み付いて毛細管現象が阻害されるのを防ぐために、給水マット５には銅化合物が含浸されたものとなっている。
【００２９】
銅化合物は、水酸化第二銅，塩基性塩化銅あるいは脂肪酸銅であり、脂肪酸銅化合物としては、カプロン酸銅，エナント酸銅，カプリン酸銅，ペラルゴン酸銅，ラウリン酸銅，ミリスチン酸銅，ソルビン酸銅などが挙げられる。
【００３０】
例えば、水酸化第二銅，塩基性塩化銅，脂肪酸銅の中から選ばれた１種類あるいは２種類以上の銅化合物を水性ペイントで混合した液中に給水マット５を浸漬させて、その後に乾燥させることで、確実に給水マット５に銅化合物を保持させることができ、水に濡れても保持されている銅化合物が流出することはない。
【００３１】
なお、前記小タンク３の縦壁面の底面側には、下小孔３ａが開口されており、また、下小孔３ａの上方には、上小孔３ｂが開口されている。この下小孔３ａおよび上小孔３ｂは、例えば直径が１ｍｍ〜６ｍｍに設定されたものとなっている。
【００３２】
なお、下小孔３ａは表側の壁面に形成し、上小孔３ｂは裏側の壁面に形成したものであっても良い。
【００３３】
また、小タンク３の縦壁面の上小孔３ｂの上方には、空気筒６の上端が連通接続されており、空気筒６は下方側へ延びてキャップ２ｃ内に通され、その下端がキャップ２ｃの下面と面一またはキャップ２ｃよりも下側へ延びて外気に開放されたものとなっている。
【００３４】
なお、この空気筒６は直径４ｍｍのものであり、この空気筒６をキャップ２ｃ内に強固に配設することにより、空気筒６を介して小タンク３を密閉タンク２内の底側から上方に浮かした状態で配置させることができるものである。
【００３５】
なお、給水マット５は、プランターや植木鉢等の土中に埋設して使用されるものであり、この状態で給水器１は立設状態に支持されるが、この給水器１を支持する支持体はどのようなものであっても良く、例えば密閉タンク２の本体部２ａを上方から差し込めるような箱体とか、塩ビ管等であっても良い。
【００３６】
なお、このような密閉タンク２および小タンク３の容量および寸法形状は一例であって、図１のものに限定されるものではなく、また、下小孔３ａ，上小孔３ｂの径寸法および給水チューブ４，空気筒６の径寸法等も上記したものに限定されるものではない。
【００３７】
次に、図１の給水器１の作用を説明する。
【００３８】
密閉タンク２内に水をいっぱいに入れて、図１のように錐形部２ｂを下向きにして設置すると、小タンク３内には下小孔３ａと上小孔３ｂから水が内部に入り、給水マット５を繋ぐことによって、給水マット５内の空気が給水チューブ４を通り小タンク３内に入り、その後、小タンク３内の水が給水マット５に給水されてゆく。即ち、給水マット５は毛細管現象が生ずるものであり、毛細管現象により給水マット５が徐々に水を吸い出し、小タンク３内の水は給水チューブ４を通り、給水マット５内に徐々に供給されてゆく。
【００３９】
供給された水は良好に土中に供給されてゆくものである。
【００４０】
小タンク３内の水が下方へ流れて、小タンク３内の水位が下がってゆくと、上小孔３ｂよりも下方へ水位が下がった状態で、上小孔３ｂから気泡が密閉タンク２内に出てゆく。即ち、空気筒６は外気と連通しているため、空気筒６を通って供給される空気が上小孔３ｂから出て密閉タンク２の本体部２ａ内を上昇し、本体部２ａの上面の真空層Ｓ１内に空気が溜まってゆく。
【００４１】
真空層Ｓ１の気圧が高くなるにつれて、密閉タンク２内の水が下小孔３ａから小タンク３内に流入してゆき、小タンク３内の水位が押し上げられて、小タンク３内の水位は一定の高さに調整される。
【００４２】
これにより、密閉タンク２の水を自動的に適度に給水マット５へ供給してゆくことができ、プランター内等の土の乾き過ぎや水のやり過ぎを解消することができるものとなる。
【００４３】
なお、給水マット５は小タンク３からの水により常に濡れているため、植物の根はこの給水マット５に向かって集まりやすく、根が集まりすぎて、植物の根が給水マット５にへばり付いて固まってしまうと、給水マット５の毛細管現象が阻害されて培土への水の供給が不安定となるが、本例の給水マット５には銅化合物が保持されているため、植物の根が給水マット５にへばり付くことがなく、培土への給水機能が安定化するものとなる。
【００４４】
また、植物の根が給水マット５に近づき根の成長点が給水マット５に接触した時に、根の成長が停止され、根の成長が止まると、根の基部から新しく分岐根が出てくることとなり、多数の新しい分岐根の先端から養分や水分を活発に吸うことができて、養分や水分を多く吸い取り植物の成長が早まるものとなる。
【符号の説明】
【００４５】
１  給水器
２  密閉タンク
２ａ  本体部
２ｂ  錐形部
２ｃ  キャップ
３  小タンク
３ａ  下小孔
３ｂ  上小孔
４  給水チューブ
４ａ  ジョイント部
５  給水マット
６  空気筒
【図１】
2016136866.tif 000003